(57)【特許請求の範囲】
【請求項１】
外部風路からの含塵空気が流れ込む流入管と、
前記流入管が上部に接続され、前記流入管から流れ込んだ含塵空気を旋回させて空気と塵埃を遠心分離する旋回室と、
前記旋回室の側壁に形成された複数の側方開口部と、
前記含塵空気の旋回軸方向から見て、前記旋回室の外周を覆うように形成され、前記複数の側方開口部を介して前記旋回室と通じ、遠心分離された塵埃を捕集する複数の側方集塵室と、
前記含塵空気から分離した空気を排出する排出管と、
を備え、
前記複数の側方集塵室の内壁のうち、他の側方集塵室に隣接する部分が、前記旋回軸方向下方に向かうにつれて、前記含塵空気の旋回方向下流側に位置するように傾斜して形成されたサイクロン分離装置。
【請求項２】
前記複数の側方集塵室の内壁のうち、他の側方集塵室に隣接する部分に、メッシュ部材で覆われた開口部を備えた請求項１に記載のサイクロン分離装置。
【請求項３】
外部風路からの含塵空気が流れ込む流入管と、
前記流入管が上部に接続され、前記流入管から流れ込んだ含塵空気を旋回させて空気と塵埃を遠心分離する旋回室と、
前記旋回室の側壁に形成された複数の側方開口部と、
前記含塵空気の旋回軸方向から見て、前記旋回室の外周を覆うように形成され、前記複数の側方開口部を介して前記旋回室と通じ、遠心分離された塵埃を捕集する複数の側方集塵室と、
前記含塵空気から分離した空気を排出する排出管と、
を備え、
前記複数の側方集塵室の内壁のうち、他の側方集塵室に隣接する部分に、メッシュ部材で覆われた開口部を備えたサイクロン分離装置。
【請求項４】
前記複数の側方集塵室のうち、上流側に位置する側方開口部を介して前記旋回室と通じているものの容積が、下流側に位置する側方開口部を介して前記旋回室と通じているものよりも大きく形成された請求項１乃至３のいずれか１項に記載のサイクロン分離装置。
【請求項５】
前記複数の側方集塵室が、前記複数の側方開口部から、前記含塵空気の旋回方向に沿って延びるように形成された請求項１乃至４のいずれか１項に記載のサイクロン分離装置。
【請求項６】
前記複数の側方集塵室が、前記複数の側方開口部から、前記旋回軸方向下方に延びるように形成された請求項１乃至５のいずれか１項に記載のサイクロン分離装置。
【請求項７】
前記複数の側方集塵室の内壁のうち、他の側方集塵室に隣接する部分が、前記旋回軸から遠ざかるにつれて、前記含塵空気の旋回方向下流側に位置するように形成された請求項１乃至６のいずれか１項に記載のサイクロン分離装置。
【請求項８】
前記複数の側方開口部のうち、下流側に位置するものの開口面積が、上流側に位置するものよりも小さく形成された請求項１乃至７のいずれか１項に記載のサイクロン分離装置。
【請求項９】
前記複数の側方開口部のうち、下流側に位置するものが、上流側に位置するものよりも前記旋回軸方向下方に形成された請求項１乃至８のいずれか１項に記載のサイクロン分離装置。
【請求項１０】
前記旋回室の前記旋回軸方向下方に開口する下方開口部と、
前記下方開口部を介して前記旋回室と通じる下方集塵室と、
を備え、
前記旋回室の下部の外周が前記下方集塵室によって覆われ、前記下方集塵室の外周が前記複数の側方集塵室によって覆われた請求項１乃至９のいずれか１項に記載のサイクロン分離装置。
【請求項１１】
前記旋回室と、前記複数の側方集塵室の少なくとも１つの一部と、前記１つの側方集塵室に隣接する他の側方集塵室の一部とが、前記旋回軸と直交する方向に並ぶように形成された請求項１乃至１０のいずれか１項に記載のサイクロン分離装置。
【請求項１２】
前記複数の側方集塵室の内壁のうち、他の側方集塵室に隣接する部分が、前記旋回軸から遠ざかるにつれて、前記含塵空気の旋回方向下流側に向かう曲面として形成された請求項１乃至１１のいずれか１項に記載のサイクロン分離装置。
【請求項１３】
請求項１乃至１２いずれか１項に記載のサイクロン分離装置を搭載した電気掃除機。
【発明の詳細な説明】
【技術分野】
【０００１】
本発明は、サイクロン分離装置並びにこれを搭載した電気掃除機に関するものである。
【背景技術】
【０００２】
下記特許文献１には、サイクロン分離装置を搭載した電気掃除機が記載されている。このサイクロン分離装置は、螺旋状に形成された旋回部を備えている。旋回部には、その壁面を開口して形成された複数の開口部が設けられている。旋回部は、複数の開口部を介して複数の集塵室に通じている。このように多段階で塵埃を分離、捕集することで、捕集性能を高めつつ小型に構成し使い勝手を向上させている。
【先行技術文献】
【特許文献】
【０００３】
【特許文献１】特開２０１０−１２０号公報
【発明の概要】
【発明が解決しようとする課題】
【０００４】
特許文献１に記載のサイクロン分離装置は、旋回部が外側に配置される構成となっているため、旋回部内の音が外部に漏れやすく、騒音を発生するという課題があった。
【０００５】
本発明は、上記のような課題を解決するためになされたものである。その目的は、小型な構成で捕集性能を高めつつ、騒音を低減できるサイクロン分離装置と、このようなサイクロン分離装置を搭載した電気掃除機とを提供することである。
【課題を解決するための手段】
【０００６】
本発明に係るサイクロン分離装置は、外部風路からの含塵空気が流れ込む流入管と、流入管が上部に接続され、流入管から流れ込んだ含塵空気を旋回させて空気と塵埃を遠心分離する旋回室と、旋回室の側壁に形成された複数の側方開口部と、含塵空気の旋回軸方向から見て、旋回室の外周を覆うように形成され、複数の側方開口部を介して旋回室と通じ、遠心分離された塵埃を捕集する複数の側方集塵室と、含塵空気から分離した空気を排出する排出管と、を備え、複数の側方集塵室の内壁のうち、他の側方集塵室に隣接する部分が、旋回軸方向下方に向かうにつれて、含塵空気の旋回方向下流側に位置するように傾斜して形成されたものである。
また、本発明に係るサイクロン分離装置は、外部風路からの含塵空気が流れ込む流入管と、流入管が上部に接続され、流入管から流れ込んだ含塵空気を旋回させて空気と塵埃を遠心分離する旋回室と、旋回室の側壁に形成された複数の側方開口部と、含塵空気の旋回軸方向から見て、旋回室の外周を覆うように形成され、複数の側方開口部を介して旋回室と通じ、遠心分離された塵埃を捕集する複数の側方集塵室と、含塵空気から分離した空気を排出する排出管と、を備え、複数の側方集塵室の内壁のうち、他の側方集塵室に隣接する部分に、メッシュ部材で覆われた開口部を備えたものである。
【発明の効果】
【０００７】
本発明によれば、サイクロン分離装置およびサイクロン分離装置を搭載した電気掃除機において、小型な構成で捕集性能を高めつつ、騒音を低減することができる。
【図面の簡単な説明】
【０００８】
【図１】本発明の実施の形態１を示す電気掃除機１００の外観斜視図である。
【図２】本発明の実施の形態１を示す電気掃除機１００の掃除機本体５の外観斜視図である。
【図３】本発明の実施の形態１を示す電気掃除機１００の掃除機本体５の上面図である。
【図４】本発明の実施の形態１を示す図３の電気掃除機１００の掃除機本体５のａ−ａ断面図である。
【図５】本発明の実施の形態１を示す電気掃除機１００の集塵ユニット５０の外観斜視図である。
【図６】本発明の実施の形態１を示す図５の電気掃除機１００の集塵ユニット５０の上面図である。
【図７】本発明の実施の形態１を示す図６の電気掃除機１００の集塵ユニット５０のＡ−Ａ断面図である。
【図８】本発明の実施の形態１を示す図７の電気掃除機１００の集塵ユニット５０のＢ−Ｂ断面図である。
【図９】本発明の実施の形態１を示す図７の電気掃除機１００の集塵ユニット５０のＣ−Ｃ断面図である。
【図１０】本発明の実施の形態１を示す図７の電気掃除機１００の集塵ユニット５０のＤ−Ｄ断面図である。
【図１１】本発明の実施の形態１を示す図７の電気掃除機１００の集塵ユニット５０のＥ−Ｅ断面図である。
【図１２】本発明の実施の形態１を示す電気掃除機１００の集塵ユニット５０の分解時の集塵室の一部を示す外観斜視図である。
【図１３】本発明の実施の形態２を示す図７の電気掃除機１００の集塵ユニット５０のＣ−Ｃ断面図である。
【図１４】本発明の実施の形態２を示す図７の電気掃除機１００の集塵ユニット５０のＤ−Ｄ断面図である。
【図１５】本発明の実施の形態２を示す図１３の電気掃除機１００の集塵ユニット５０のＦ−Ｆ断面図である。
【図１６】本発明の実施の形態３を示す図７の電気掃除機１００の集塵ユニット５０のＣ−Ｃ断面図である。
【発明を実施するための形態】
【０００９】
添付の図面を参照して、本発明を詳細に説明する。各図では、同一又は相当する部分に同一の符号を付している。重複する説明は、適宜簡略化或いは省略する。
【００１０】
実施の形態１．
図１は本発明の実施の形態１における電気掃除機を示す斜視図である。
図１に示すように、電気掃除機１００は、吸込口体１と、吸引パイプ２と、接続パイプ３と、サクションホース４と、掃除機本体５並びに掃除機本体５に装着された集塵ユニット５０とから構成されている。
【００１１】
吸込口体１は、下向きに形成された開口から、床面上のごみ（塵埃）および含塵空気を吸い込むためのものである。吸込口体１の排気側には、まっすぐな円筒状の吸引パイプ２の一端が接続されている。吸引パイプ２の他端には、中途にて若干折れ曲がった接続パイプ３の一端が接続されている。接続パイプ３には、電気掃除機１００の運転を制御する操作スイッチが設置された取手が設けられている。接続パイプ３の他端には、可撓性を有し、蛇腹状に形成されるサクションホース４の一端が接続されている。さらに、サクションホース４の他端には、掃除機本体５が接続されている。
【００１２】
掃除機本体５は、電動送風機５２（図４参照）と電源コードを備えている。電源コードが外部電源に接続されることにより、電動送風機５２が給電される。電動送風機５２は通電されることによって駆動され、吸引動作を行う。吸込口体１、吸引パイプ２、接続パイプ３およびサクションホース４は、含塵空気を掃除機本体５の外から内部に流入させるための吸引経路の一部を構成する。
【００１３】
図２は、本発明の実施の形態１における電気掃除機の掃除機本体５に集塵ユニット５０を装着した状態の斜視図である。図２に示すように、掃除機本体５は、集塵ユニット５０が着脱自在に装着・収容される集塵ユニット収容部５ａと、電動送風機５２を収容する電動送風機収容部５ｂを備える。
【００１４】
集塵ユニット収容部５ａは、掃除機本体５の上部側に形成される。集塵ユニット収容部５ａは、前方が低く後方に行くほど高くなる傾斜面５ａ−１と、傾斜面５ａ−１の前方側に略垂直に突出するように形成される傾斜面５ａ−２とから形成される。集塵ユニット５０は、集塵ユニット収容部５ａの傾斜面に沿って装着・収容され、傾斜面５ａ−２により底面を覆われ安定的に保持される。
【００１５】
図３は、図２に示す掃除機本体５の上面図である。図４は、図３に示す掃除機本体５のａ−ａ断面図である。
図４に示すように、電動送風機収容部５ｂの内部には、吸入風路４９および排気風路５１が形成され、電動送風機５２と、コードリール等の各種機器が収容されている。また、電動送風機収容部５ｂは、図示しない排気口を備え、さらにその側方に車輪５３（図２参照）を備えている。
【００１６】
次に、集塵ユニット５０の構造について説明する。
上述した通り、図４は、掃除機本体５に集塵ユニット５０を装着した状態の断面図である。図５は、本発明の実施の形態１における電気掃除機の集塵ユニット５０の外観を示す斜視図である。図６は、図５に示す集塵ユニット５０の上面図である。
【００１７】
図４に示すように、集塵ユニット５０は、掃除機本体５内部の吸入風路４９を経て含塵空気を取り込む流入管１１を備えている。流入管１１は、旋回室１２の側壁に対しておおよそ接線方向に接続されている（図６参照）。
【００１８】
また、図４に示すように、旋回室１２には、空気を排出する排出管１８が接続されている。排出管１８の一端には、旋回室１２と通じる排出口１７が形成されている。排出管１８は、その軸を旋回室１２の軸とおおよそ一致させて、旋回室１２内に突出して設置されている。
【００１９】
ここで、図４を参照し、掃除機本体５の内部に流入した空気を掃除機本体５の外部に排出する経路について説明する。
掃除機本体５の内部に流入した空気は、吸入風路４９を経て集塵ユニット５０に到達する。当該空気は、集塵ユニット５０において、流入管１１内部、旋回室１２、排出口１７、排出管１８内部の順に流れる。排出管１８から排出された当該空気は、掃除機本体５内部の排気風路５１に流入する。その後、当該空気は、排気風路５１と図示しない排気口からなる排気経路を経て掃除機本体５の外部に排出される。
【００２０】
図７は、図６に示す集塵ユニット５０のＡ−Ａ断面図である。本明細書では、特に断りがない限り、集塵ユニット５０について、図７における上下方向を基準として方向を指定する。
【００２１】
図７に示すように、旋回室１２の側壁は、円筒部１２ａと円錐部１２ｂとを有している。円筒部１２ａには、流入管１１よりも下方に、その側壁の一部を開口して形成される第１側方開口部１３ａが設けられている。旋回室１２は、第１側方開口部１３ａを介して第１側方集塵室１４ａに通じている。
【００２２】
また、図７に示すように、円筒部１２ａには、その側壁の一部を開口して形成される第２側方開口部１３ｂが設けられている。第２側方開口部１３ｂは、旋回室１２内の空気の旋回方向において、第１側方開口部１３ａよりも下流側の位置に形成されている。また、第２側方開口部１３ｂは、第１側方開口部１３ａよりも開口面積が小さくなるように形成されている。さらに、第２側方開口部１３ｂは、第１側方開口部１３ａよりも下方の位置に形成されている。旋回室１２は、第２側方開口部１３ｂを介して第２側方集塵室１４ｂに通じている。
【００２３】
また、図７に示すように、円錐部１２ｂの下端には、下方開口部１５が形成されている。旋回室１２は、下方開口部１５を介して下方集塵室１６に通じている。下方集塵室１６は、円錐部１２ｂを取り囲むように円筒状に形成されている。換言すれば、円錐部１２ｂは、その先端を下方集塵室１６内に挿入するように配置されている。
【００２４】
また、図７に示すように、第１側方集塵室１４ａは、第１側方開口部１３ａから下方に延びるように形成されている。また、第２側方集塵室１４ｂは、第２側方開口部１３ｂから下方に延びるように形成されている。
【００２５】
図８は、図７に示す集塵ユニット５０のＢ−Ｂ断面図である。
図８に示すように、上下方向から見て、第１側方集塵室１４ａおよび第２側方集塵室１４ｂは、旋回室１２を取り囲むように配置されている。
【００２６】
図９は、図７に示す集塵ユニット５０のＣ−Ｃ断面図である。図１０は、図７に示す集塵ユニット５０のＤ−Ｄ断面図である。
図９、図１０に示すように、上下方向から見て、第１側方集塵室１４ａおよび第２側方集塵室１４ｂは、旋回室１２の外周を覆う環状の空間を、隔壁２０ａおよび隔壁２０ｂによって区画することで形成されている。
【００２７】
次に、主に図４を参照して、集塵ユニット５０の動作について説明する。
集塵ユニット５０は、吸入風路４９を経て流入管１１から含塵空気を取り込む。取り込まれた含塵空気は、旋回室１２の側壁に対して略接線方向に流入し、旋回気流となる。当該旋回気流は、旋回室１２の中心軸近傍の強制渦領域とその外周側の自由渦領域とを形成しながら、重力と経路構造とにより下向きに流れる。このとき、含塵空気に含まれるごみには遠心力が作用するため、大きな繊維ごみや毛髪等の比較的嵩の大きなごみ（以下、「ごみＡ」という）が旋回室１２の内壁に押し付けられて旋回気流から分離される。分離されたごみＡは、第１側方開口部１３ａを介して第１側方集塵室１４ａに送られる。
【００２８】
また、ごみＡの中でも、比較的比重が大きく旋回室内を下降しやすい砂ごみや、第１側方集塵室１４ａに流入しなかったごみは、第２側方開口部１３ｂを介して第２側方集塵室１４ｂに送られる。
【００２９】
また、第１側方集塵室１４ａおよび第２側方集塵室１４ｂのいずれにも流入しなかったごみは、旋回室１２を下降する旋回気流に乗って旋回室１２の下方に進む。このとき、旋回室１２の下方の円錐部１２ｂでは、旋回気流の遠心力が高まる。これにより、微細塵や細かな繊維ごみ等の比較的嵩の小さなごみ（以下、「ごみＢ」という）が旋回気流から分離され、下方開口部１５を介して下方集塵室１６内に送られる。
【００３０】
ごみＡおよびごみＢが除去された旋回気流は、旋回室１２の下方で反転する。反転した旋回気流は、旋回室１２の中心軸に沿って上昇し、排出口１７から排出管１８に流入する。当該空気は、排出管１８内部を経て、掃除機本体５の排気風路５１側へ排出される。
【００３１】
上述した通り、本実施の形態では、第１側方集塵室１４ａおよび第２側方集塵室１４ｂを備えている。本構成によれば、ごみＡを多段階で確実に分離、捕集することができる。さらに、下方の円錐部１２ｂでは、高められた遠心力により、ごみＢを確実に分離、捕集することができる。その結果、１旋回室の小型の構成で、捕集性能を向上できる。
【００３２】
さらに、本実施の形態では、第１側方集塵室１４ａおよび第２側方集塵室１４ｂが、旋回室１２の外周を覆っている。本構成によれば、旋回室１２内の気流音が外部に漏れにくくなる。その結果、小型の構成にて騒音を低減できる。また、旋回室１２が風路により構成されていないため、旋回室１２の壁面と旋回するごみが擦れて発生する音が小さい。このため、さらに騒音を低減できる。
【００３３】
また、図９および図１０に示すように、第１側方集塵室１４ａは、第２側方集塵室１４ｂよりも容積が大きくなるように形成されている。本構成によれば、ごみＡの捕集量が多い第１側方集塵室１４ａの集塵量を増やすことができる。このため、側方集塵室全体の捕集量が同じで、第１側方集塵室１４ａと第２側方集塵室１４ｂの容積が同等である場合と比べ、側方集塵室全体の集塵量を増大できる。その結果、小型の構成にて捕集性能を向上できる。
【００３４】
また、図９に示すように、第１側方集塵室１４ａは、第１側方開口部１３ａから旋回室１２内の空気の旋回方向に沿って延びるように形成されている。また、図１０に示すように、第２側方集塵室１４ｂは、第２側方開口部１３ｂから旋回室１２内の空気の旋回方向に沿って延びるように形成されている。これらの側方集塵室内には、側方開口部から流入する気流によって、旋回室１２内の空気の旋回方向と同じ向きの気流が生じる。本構成によれば、側方集塵室内の気流の勢いを利用して、旋回方向下流側の隔壁にごみを押し付けながら溜めることができる。このため、ごみを圧縮して集塵量を増大できる。その結果、より小型の構成にて捕集性能を向上できる。また、ごみが集塵室内で回り続けることを抑制し、さらに騒音を低減できる。
【００３５】
上述した通り、本実施の形態では、側方集塵室内に、旋回室１２内の空気の旋回方向と同じ向きの気流が生じる。このため、側方集塵室において、側方開口部よりも旋回方向上流側の空間には、ごみが溜まりにくい。このような上流側の空間を減少すれば、集塵量の増大が期待できる。
【００３６】
そこで、本実施の形態では、隔壁２０ｂが、第１側方開口部１３ａの上流側端部とほぼ接するように形成されている（図９参照）。また、隔壁２０ａも、第２側方開口部１３ｂの上流側端部とほぼ接するように形成されている（図１０参照）。本構成によれば、側方開口部よりも上流側の、ごみが溜まりにくい空間を最小限に抑え、そのぶん下流側の空間を広げることができる。このため、隔壁を側方開口部と離して形成した場合と比較して、側方集塵室の集塵量を最大限に増大できる。その結果、より小型の構成にて捕集性能を向上できる。
【００３７】
また、図７に示すように、第１側方集塵室１４ａは、第１側方開口部１３ａから下方に延びるように形成されている。また、第２側方集塵室１４ｂは、第２側方開口部１３ｂから下方に延びるように形成されている。本構成によれば、旋回室１２内を下降しながら旋回する気流の勢いを利用し、第１側方集塵室１４ａおよび第２側方集塵室１４ｂの下方からごみを溜めることができる。このため、集塵室の容積を無駄なく使って集塵量を増大できる。その結果、より小型の構成にて捕集性能を向上できる。
【００３８】
また、図９および図１０に示すように、第２側方開口部１３ｂは、第１側方開口部１３ａよりも開口面積が小さくなるように形成されている。第２側方開口部１３ｂに到達するごみは、ごみＡの中でも比較的比重が大きく嵩の小さい砂ごみや、第１側方開口部１３ａで捕捉しきれなかった繊維ごみや毛髪等の嵩の大きいごみの一部であるため、第１側方開口部１３ａに到達するごみよりも小さい。そのため、第２側方開口部１４ｂの開口面積を小さくすることで、上記ごみを捕捉するための開口面積を確保しつつ、開口部を設けることによる旋回室１２内の旋回気流の乱れを抑制できる。その結果、旋回室１２内の遠心力を高め、捕集性能を向上できる。
【００３９】
また、図７に示すように、第２側方開口部１３ｂは、第１側方開口部１３ａよりも下方に形成されている。本構成によれば、旋回室１２内を下降しながら旋回するごみＡの軌道上に、第１側方開口部１３ａおよび第２側方開口部１３ｂを配置できる。これにより、ごみＡを確実に捕捉できるとともに、ごみＡの中でも比較的嵩が小さく下降しやすい砂ごみを、下方の第２側方開口部１３ｂで捕捉しやすくなる。その結果、捕集性能を向上させることができる。
【００４０】
また、図７に示すように、第２側方開口部１３ｂより下方において、下方集塵室１６が旋回室１２の外周を覆い、さらに第１側方集塵室１４ａおよび第２側方集塵室１４ｂが下方集塵室１６の外周を覆っている。本構成によれば、旋回風速の高い旋回室１２の下部を下方集塵室と側方集塵室で二重に覆うことができる。その結果、旋回室１２の気流音がさらに漏れにくくなり、より騒音を低減できる。
【００４１】
図１１は、図７に示す集塵ユニット５０のＥ−Ｅ断面図である。
図１１に示すように、第１側方集塵室１４ａの下流側と、第２側方集塵室１４ｂの上流側とを区画する隔壁２０ａに、その壁面を開口して連通口２１を設け、メッシュ部材２２で連通口２１を覆う構成としてもよい。本構成によれば、連通口２１を介して第１側方集塵室１４ａから第２側方集塵室１４ｂに流入する気流によって、第１側方集塵室１４ａ内のごみを圧縮することができる。これにより、ごみの捕集量が多い第１側方集塵室１４ａの集塵量を増大できる。その結果、より小型の構成にて捕集性能を向上できる。
【００４２】
図１２は、集塵ユニットの分解時の集塵室の一部を示す外観斜視図である。
図１２に示すように、第１側方集塵室１４ａ、第２側方集塵室１４ｂ、隔壁２０ａ、隔壁２０ｂ、および下方集塵室１６を形成する集塵ユニットの部品を一体として形成し、旋回室１２に対し着脱自在としてもよい。本構成によれば、複数の集塵室のごみを簡単に一度に捨てることができ、使い勝手を向上させることができる。
【００４３】
実施の形態２．
図１３〜図１５を参照して、実施の形態２を説明する。実施の形態２は、第１側方集塵室１４ａ、第２側方集塵室１４ｂ、隔壁２０ａおよび隔壁２０ｂの構造を除いて、実施の形態１と同様である。以下、実施の形態１との相違点を中心に説明し、実施の形態１と同じ部分にはこれと同じ符号を付して、一部の説明を省略する。
【００４４】
上述した通り、実施の形態１において、旋回室１２から第１側方集塵室１４ａおよび第２側方集塵室１４ｂに流入したごみは、下降しながら旋回室１２内の空気の旋回方向に沿って進む。このため、第１側方集塵室１４ａおよび第２側方集塵室１４ｂにおいて、旋回方向上流側かつ下方の空間には、ごみが溜まりにくい。また、旋回方向上流側かつ旋回室の半径方向外側の空間にも、ごみが溜まりにくい。本実施の形態では、このようなごみが溜まりにくい無駄な空間を減らし、集塵量の増大を図る。
【００４５】
図１３は、本実施の形態における集塵ユニット５０を、図７に示すＣ−Ｃ断面で切断したときに得られる断面図である。図１４は、本実施の形態における集塵ユニット５０を、図７に示すＤ−Ｄ断面で切断したときに得られる断面図である。
【００４６】
図１３および図１４に示すように、本実施の形態においても、実施の形態１と同様に、隔壁２０ａおよび隔壁２０ｂが、側方開口部の上流側端部とほぼ接するように形成されている。これにより、側方集塵室について、ごみが溜まりにくい上流側の空間を最小限に抑え、そのぶん下流側の空間を広げることができる。
【００４７】
さらに、本実施の形態では、隔壁２０ａおよび隔壁２０ｂが、旋回室１２の半径方向外側に向かうにつれて、旋回方向下流側に位置するように形成されている。本構成によれば、ごみが溜まりにくい上流側の半径方向外側の空間を減らし、そのぶん隣接する他の側方集塵室の下流側の空間を広げることができる。その結果、側方集塵室全体での集塵量を増大し、より小型の構成にて捕集性能を向上できる。
【００４８】
また、本実施の形態では、旋回室１２の外周の一部が、第１側方集塵室１４ａおよび第２側方集塵室１４ｂによって二重に覆われている。これにより、旋回室１２内の気流音がさらに外部に漏れにくくなる。その結果、より騒音を低減できる。
【００４９】
図１５は、図１３に示す集塵ユニットのＦ−Ｆ断面図である。
図１５に示すように、隔壁２０ａおよび隔壁２０ｂは、旋回室１２の下方に向かうにつれて、旋回方向下流側に向かうように傾斜して形成されている。本構成によれば、ごみが溜まりにくい上流側下方の空間を減らし、そのぶん隣接する他の側方集塵室の下流側の空間を広げることができる。その結果、側方集塵室全体での集塵量をさらに増大し、より小型の構成にて捕集性能を向上できる。
【００５０】
実施の形態３．
図１６を参照して、実施の形態３を説明する。実施の形態３は、第１側方集塵室１４ａ、第２側方集塵室１４ｂ、隔壁２０ａおよび隔壁２０ｂの構造を除いて、実施の形態２と同様である。以下、実施の形態２との相違点を中心に説明し、実施の形態２と同じ部分にはこれと同じ符号を付して、一部の説明を省略する。
【００５１】
図１６は、本実施の形態における集塵ユニット５０を、図７に示すＣ−Ｃ断面で切断したときに得られる断面図である。
図１６に示すように、本実施の形態においても、実施の形態２と同様に、隔壁２０ａおよび隔壁２０ｂが、側方開口部の上流側端部とほぼ接するように形成されている。これにより、側方集塵室について、ごみが溜まりにくい上流側の空間を最小限に抑え、そのぶん下流側の空間を広げることができる。
【００５２】
さらに、本実施の形態では、図１６に示すように、隔壁２０ａおよび隔壁２０ｂは、上下方向から見て曲線となるように形成されている。つまり、隔壁２０ａおよび隔壁２０ｂは、旋回室１２の半径方向外側に向かうにつれて、旋回方向下流側に位置するような曲面として形成されている。このため、実施の形態２以上に、ごみが溜まりにくい上流側の半径方向外側の空間を減らし、そのぶん隣接する他の側方集塵室の下流側の空間を広げることができる。その結果、側方集塵室全体での集塵量をさらに増大し、捕集性能を向上できる。
【００５３】
また、本実施の形態においても、旋回室１２の外周の一部が、第１側方集塵室１４ａおよび第２側方集塵室１４ｂによって二重に覆われている。ただし、隔壁２０ａおよび隔壁２０ｂが曲面で形成されているため、実施の形態２と比較して、旋回室１２がより広い範囲で二重に覆われている。このため、旋回室１２内の気流音がさらに漏れにくくなり、騒音を低減できる。
【００５４】
実施の形態１〜３では、ごみＡを分離、捕集する側方集塵室を２つ備える構成としたが、側方集塵室を３つ以上備える構成としても同様の効果を得られる。
【００５５】
また、実施の形態１〜３では、旋回室１２の外周を覆う空間を隔壁によって区画することで、複数の側方集塵室を形成した。しかし、複数の側方集塵室を形成するために、必ずしも隔壁を設ける必要はない。例えば、複数の側方集塵室をそれぞれ個別の部品として形成し、これらを旋回室１２に組み合わせてもよい。
【００５６】
なお、本発明は、集塵ユニット５０の構造に関するものであることから、実施の形態１〜３で説明したキャニスタータイプの電気掃除機に限られるものではない。
【符号の説明】
【００５７】
１  吸込口体、２  吸引パイプ、３  接続パイプ、４  サクションホース、５  掃除機本体、５ａ  集塵ユニット収容部、５ａ−１，５ａ−２  傾斜面、５ｂ  電動送風機収容部、１１  流入管、１２  旋回室、１２ａ  円筒部、１２ｂ  円錐部、１３ａ  第１側方開口部、１３ｂ  第２側方開口部、１４ａ  第１側方集塵室、１４ｂ  第２側方集塵室、１５  下方開口部、１６  下方集塵室、１７  排出口、１８  排出管、２０ａ，２０ｂ  隔壁、２１  連通口、２２  メッシュ部材、４９  吸入風路、５０  集塵ユニット、５１  排気風路、５２  電動送風機、５３  車輪、１００  電気掃除機
【図１】
0005582184.tif 000002
【図２】
0005582184.tif 000003
【図３】
0005582184.tif 000004
【図４】
0005582184.tif 000005
【図５】
0005582184.tif 000006
【図６】
0005582184.tif 000007
【図７】
0005582184.tif 000008
【図８】
0005582184.tif 000009
【図９】
0005582184.tif 000010
【図１０】
0005582184.tif 000011
【図１１】
0005582184.tif 000012
【図１２】
0005582184.tif 000013
【図１３】
0005582184.tif 000014
【図１４】
0005582184.tif 000015
【図１５】
0005582184.tif 000016
【図１６】
0005582184.tif 000017